(57)【要約】【課題】コンパクトであり、持ち運びが容易なリフト及び昇降方法を提供する。【解決手段】リフト２は、荷物Ｎの昇降を行うウインチ１０と、建物Ｍに取り付けられる取付機構２０と、取付機構２０から延びウインチ１０を支持する支持機構３０と、を備える。取付機構２０は、踊り場Ｄの開口部ＤＸに着脱可能なものであり、コ字状のフレーム２１を備える。支持機構３０は、移動パイプ３１と、フレーム２１に取り付けられた水平パイプ３２と、移動パイプ３１と水平パイプ３２とを連結する自在クランプ３３と、を備える。移動パイプ３１は、水平の姿勢を保ったまま、自在クランプ３３の揺動軸ＡＸ周りにおいてスイング自在となる。【選択図】図１
2018104167.tif 000002
【特許請求の範囲】
【請求項１】
荷物の昇降を行う昇降機構と建物に取り付けられる取付機構と前記取付機構から延び前記昇降機構を支持するアームとを備えたリフトを用いて、前記荷物の昇降を行う昇降方法であって、
前記建物に形成された上方開口に前記取付機構を取り付ける取付ステップと、
前記昇降機構を用いて前記荷物の昇降を行う昇降ステップと、
前記建物に形成された下方開口において、前記荷物の出し入れを行う出入ステップと、を備えることを特徴とする昇降方法。  
【請求項２】
前記上方開口または前記下方開口は、踊り場に形成された開口であることを特徴とする請求項１記載の昇降方法。  
【請求項３】
建物に取り付けられる取付機構と、
前記取付機構から延びるアームと、
前記アームに設けられ昇降機構を支持する支持機構と、を備え、
前記係合機構は、
前記建物に対して所定の距離である第１位置と、前記建物に対して距離が前記第１位置よりも大きな第２位置と、の間で切替自在となっていることを特徴とするリフト。
【請求項４】
前記支持アームのスイングを行うスイング機構と、さらに備え、
前記係合機構は、前記スイングにより、前記第１位置と、前記第２位置との間で切替自在であることを特徴とする請求項３記載のリフト。
【請求項５】
前記スイングを規制するスイングロック機構をさらに備え、
前記スイングロック機構は、
前記支持アームに沿って移動自在なスライド部材と、
前記スライド部材を前記建物に対して固定する固定部材と、を備えることを特徴とする請求項４記載のリフト。
【請求項６】
前記スイングを規制するスイングロック機構をさらに備え、
前記スイングロック機構は、前記支持アームを前記建物に対して固定する固定部材と、を備え、
前記固定部材の長さは変更可能であることを特徴とする請求項４記載のリフト。
【請求項７】
建物に取り付けられる取付機構と、
前記取付機構から延びるアームと、
前記アームに設けられ昇降機構を支持する支持機構と、を備え
前記取付機構は、前方部材と、後方部材とを備え、
前記前方部材と前記後方部材とは連結されていることを特徴とするリフト。
【発明の詳細な説明】
【技術分野】
【０００１】
本発明は、リフト及び昇降方法に関する。
【背景技術】
【０００２】
引っ越しや、配送等、マンション等の地上と上層階との間において荷物を移動することがある。係る場合には、作業員や配送員が荷物を持ちながら階段を昇降することが通常である。かかる課題を解決するために、建築物に隣接するように設けられた簡易型エレベータ装置が提案されている（例えば、特許文献１）。
【先行技術文献】
【特許文献】
【０００３】
【特許文献１】特開平３−１２０３９号公報
【発明の概要】
【発明が解決しようとする課題】
【０００４】
しかしながら、特許文献１に記載の簡易型エレベータ装置は、装置スペースが大きく、持ち運びが困難である。このため、配送作業等、小規模な作業に向かない。
【０００５】
本発明は、斯かる実情に鑑み、コンパクトであり、持ち運びが容易なリフト及び昇降方法を提供しようとするものである。
【課題を解決するための手段】
【０００６】
本発明は、荷物の昇降を行う昇降機構と建物に取り付けられる取付機構と前記取付機構から延び前記昇降機構を支持するアームとを備えたリフトを用いて、前記荷物の昇降を行う昇降方法であって、前記建物に形成された上方開口に前記取付機構を取り付ける取付ステップと、前記昇降機構を用いて前記荷物の昇降を行う昇降ステップと、前記建物に形成された下方開口において、前記荷物の出し入れを行う出入ステップと、を備えることを特徴とする。  
【０００７】
本発明のリフトは、建物に取り付けられる取付機構と、前記取付機構から延びるアームと、前記アームに設けられ昇降機構を支持する支持機構と、を備え、前記係合機構は、前記建物に対して所定の距離である第１位置と、前記建物に対して距離が前記第１位置よりも大きな第２位置と、の間で切替自在となっていることを特徴とする。
【０００８】
本発明のリフトは、建物に取り付けられる取付機構と、前記取付機構から延びるアームと、前記アームに設けられ昇降機構を支持する支持機構と、を備え、前記取付機構は、前方部材と、後方部材とを備え、前記前方部材と前記後方部材とは連結されていることを特徴とする。
【発明の効果】
【０００９】
本発明によれば、コンパクトであり、持ち運びが容易なリフト及び昇降方法を提供することができる。
【図面の簡単な説明】
【００１０】
【図１】建物から荷物を持ちあげるリフトの概要を示す説明図である。
【図２】リフトの概要を示す側面図である。
【図３】リフトの概要を示す斜視図である。
【図４】リフトの概要を示す平面図である。
【図５】リフトの概要を示す斜視図である。
【発明を実施するための形態】
【００１１】
図１に示すように、リフト２は、荷物Ｎの昇降を行うウインチ１０と、建物Ｍに取り付けられる取付機構２０と、取付機構２０から延びウインチ１０を支持する支持機構３０と、を備える。
【００１２】
ウインチ１０は、ロープ１１と、ロープ１１を巻き取るドラムユニット１２と、ロープ１１の先端に設けられたフック１３と、ドラムユニット１２を駆動する駆動装置（図示省略）と、駆動装置に供給する電源ケーブル（図示省略）と、を備える。階段Ｓの踊り場Ｄ、階段や部屋に設けられているコンセントに電源ケーブルを接続すると、ウインチ１０への給電が行われる。ウインチ１０への給電が行われると、駆動装置が作動し、ロープ１１の送り出しや巻き取りを行うことができる。なお、荷物Ｎの下方にロープの片端を係止して、ロープの他端を地上にいる作業員が保持し、荷物Ｎが建物から遠ざかるように引っ張っていることが好ましい。これにおり、荷物Ｎが建物から離れた状態のまま、荷物Ｎの昇降を行うことができる。
【００１３】
図２〜３に示すように、取付機構２０は、踊り場Ｄの開口部ＤＸ（図１）に着脱可能なものであり、コ字状のフレーム２１と、フレーム２１に設けられたナット２２と、ナット２２の孔に螺合するボルト２３と、を備える。踊り場Ｄの開口部ＤＸの形状としては、厚さが高さ方向や横方向に漸減または全奏する場合もある。このため、ナット２２は、高さ方向や横方向に並んでいることが好ましい。
【００１４】
フレーム２１は、互いに平行となるように配された２枚の垂直フレーム部２１Ｖと、垂直フレーム部２１Ｖの上端をつなぐ水平フレーム部２１Ｈとからなる。垂直フレーム部２１Ｖと水平フレーム部２１Ｈとは溶接されている。フレーム２１はコ字状となっているため、踊り場Ｄの開口部ＤＸ（例えば、開口縁の下方部）に対して装着作業が容易となる。垂直フレーム部２１Ｖには、それぞれ、適宜ナット２２が形成される。なお、ボルト２３と開口部ＤＸとの間にクッション材２５を設けてもよい（図１）。
【００１５】
支持機構３０は、フレーム２１から前方に向かって伸びるように配された移動パイプ３１と、フレーム２１に溶接された水平パイプ３２と、移動パイプ３１と水平パイプ３２とを連結する自在クランプ３３と、を備える。
【００１６】
移動パイプ３１の先端にはフック３１Ｆが形成される。フック３１Ｆにより、移動パイプ３１の先端からウインチ１０を吊り下げ可能となる。水平パイプ３２は、前方側の垂直フレーム部２１Ｖの前面に対して溶接されている。自在クランプ３３は、移動パイプ３１と水平パイプ３２とを連結する。自在クランプ３３により、移動パイプ３１は、水平の姿勢を保ったまま、自在クランプ３３の揺動軸ＡＸ（図３）周りにおいてスイング自在となる（図４）。このため、自在クランプ３３が、移動パイプ３１のスイングを行うスイング機構として機能する。そして、移動パイプ３１の先端からウインチ１０を吊り下げることにより、ウインチ１０は、建物Ｍから離れた離隔位置Ｐ１と、離隔位置Ｐ１よりも建物Ｍに近づいた近接位置Ｐ２と、の間で切替自在となっている。
【００１７】
さらに、リフト２は、移動パイプ３１のスイングを規制するスイングロック機構５０をさらに備える。スイングロック機構５０は、フレーム２１から起立するように伸びる起立パイプ５１と、移動パイプ３１に固定された固定金具５２と、起立パイプ５１及び固定金具５２を繋ぐ繋ぎ部材５３と、を備える。
【００１８】
起立パイプ５１は、後方側の垂直フレーム部２１Ｖの背面に溶接された挿入管部２１ＶＡに挿入される。起立パイプ５１は、揺動軸ＡＸ（図３）の真後ろに位置することが好ましい。起立パイプ５１に設けられたボルト孔（図示省略）に対して、ボルト５５が螺合される。これにより、起立パイプ５１は、垂直フレーム部２１Ｖに対して固定される。
【００１９】
固定金具５２は、移動パイプ３１が挿入される環状部５２Ｗと、環状部５２Ｗから径方向外側へ突設された突部５２Ｔと、を有する。突部５２Ｔには係合孔５２ＴＸが形成される。移動パイプ３１における固定金具５２の配置位置は、フック３１Ｆと揺動軸ＡＸとの間であることが好ましい。
【００２０】
繋ぎ部材５３は、いわゆるターンバックルであり、本体５３Ｂと右螺子５３Ｒと左螺子５３Ｌとを備えるものであり、右螺子５３Ｒ及び左螺子５３Ｌに対する本体５３Ｂの回転により、繋ぎ部材５３の長さを変更することができる。右螺子５３Ｒの先端は係合孔５２ＴＸに係合し、左螺子５３Ｌの先端は起立パイプ５１の上端にて、当該上端を中心に回動自在に係合する。
【００２１】
次に、リフト２を用いた昇降方法について説明する。
【００２２】
リフト２を用いた昇降方法は、建物Ｍに形成された上方の開口ＤＸに取付機構２０を取り付ける取付ステップと、ウインチ１０を用いて荷物Ｎの昇降を行う昇降ステップと、建物Ｍに形成された下方の開口ＤＸにおいて、荷物Ｎの出し入れを行う出入ステップと、を備える。ここで、下方の開口ＤＸとは、上方の開口ＤＸの真下に設けられた開口である。
【００２３】
取付ステップでは、建物Ｍに形成された上方の開口ＤＸに取付機構２０を取り付ける。これにより、建物Ｍにリフト２が固定される。
【００２４】
昇降ステップでは、ウインチ１０を用いて荷物Ｎの昇降を行う。初めに、ウインチ１０の操作ボタンの操作を介して、ドラムユニット１２を駆動して、ロープ１１を引き出す。地上におかれた荷物Ｎを、フック１３に引っ掛ける。その後、ウインチ１０の操作ボタンの操作を介して、ウインチ１０を駆動して、ロープ１１を巻き取る。荷物Ｎは、下方の開口ＤＸに正対する位置まで引き上げられる。
【００２５】
出入ステップでは、本体５３Ｂの回転操作により、繋ぎ部材５３の長さを短くする。これにより、荷物Ｎは、離隔位置Ｐ１から近接位置Ｐ２へと移動する。近接位置Ｐ２となった荷物Ｎからフック１３Ｆを外すことにより、下方の開口ＤＸから踊り場Ｄへ荷物Ｎを取りこむことができる。なお、本体５３Ｂの回転操作により、繋ぎ部材５３の長さを長くすると、ウインチ１０は、近接位置Ｐ２から離隔位置Ｐ１へと移動する。
【００２６】
上記では、地上の荷物Ｎを所定の踊り場Ｄまで搬送する際の手順を示したが、所定の踊り場Ｄの荷物Ｎを地上まで搬送する場合には、出入ステップの後に、昇降ステップを行えばよい。
【００２７】
このようなリフト２は、比較的簡単な構造を有するため、コンパクトかつ持ち運びが容易となる。また、リフト２は、踊り場Ｄの開口ＤＸに着脱自在な取付構造２０を備えるため、開口ＤＸが形成された建物Ｍであれば利用可能となる。そして、リフト２は、踊り場Ｄといった公共スペースの開口部分に着脱自在であるとともに、公共スペースに設けられた別の開口部分から荷物Ｎの出し入れが可能となる。このため、配送業者といった外部の人間が、他の住民占有スペースや、メンテナンス専用スペースに立ち入ることなく、リフト２の取り付け、電源供給、そして、荷物Ｎの昇降作業が可能となる。結果、配送作業等、小規模な作業に向いている。
【００２８】
さらに、リフト２によれば、ウインチ１０が、建物Ｍから離れた離隔位置Ｐ１と、離隔位置Ｐ１よりも建物Ｍに近づいた近接位置Ｐ２と、の間で切替自在となっているため、踊り場Ｄの開口ＤＸを介した荷物Ｎの出し入れが容易となる。また、荷物の昇降を行う際、ウインチ１０が離隔位置Ｐにしておくことで、体（腕や頭など）が開口から飛び出した場合でも、荷物が体にぶつかったり、建物と荷物の間に挟まれたりすることが無い。離隔位置Ｐとしては、例えば、建物から２０ｃｍ程度離れていることが好ましく、建物から３０ｃｍ程度離れていることが好ましい。
【００２９】
移動パイプ３１や起立パイプ５１は、フレーム２１に対して着脱自在となっているため、収容時のリフト２の収容スペースは小さくて済む。
【００３０】
このようなシンプルな構造のリフト２は、製造コストが安価で済むばかりか、搬送作業の効率化が可能となる。結果、搬送作業者の負担を軽減することができる。
【００３１】
上記実施形態では、揺動軸ＡＸは、垂直方向に延びていたが、水平であってもよい。揺動軸ＡＸが水平方向に延びた例として、水平パイプ３２の周りにおいて移動パイプ３１がスイング自在となるようにしてもよい。
【００３２】
上記実施形態では、繋ぎ部材５３としてターンバックルを用いたが自身の長さが変更な構造を有するものであればよい。
【００３３】
なお、スイングロック機構５０としては、移動パイプ３１に固定された固定金具５２と、自身の長さが変更可能な繋ぎ部材５３と、に替えて、移動パイプ３１にスライド自在なスライド金具と、自身の長さが変更不能な繋ぎ部とを用いてもよい。
【００３４】
なお、移動パイプ３１のスイングを行うスイング機構を採用する代わりに、開口ＤＸから突出する状態と開口ＤＸから踊り場Ｄに収容された状態との間で移動パイプ３１を移動する移動機構を採用してもよい。
【００３５】
上記実施形態では、フレーム２１はコ字状となっているとしたが、本発明はこれに限られず、フレーム２１は、前方部材（垂直フレーム部２１Ｖのうち前方側のもの）と、後方部材（垂直フレーム部２１Ｖのうち後側のもの）とを備えており、前方部材及び後方部材は連結していることが好ましい。したがって、フレーム２１の形状としては、逆Ｕ字状、逆Ｖ字状、Ｈ字状等でもよい。
【００３６】
尚、本発明は、上記した実施の形態に限定されるものではなく、本発明の要旨を逸脱しない範囲内において種々変更を加え得ることは勿論である。
【符号の説明】
【００３７】
２     リフト
１０   ウインチ
２０   取付機構
３０   支持機構
５０   スイングロック機構
【図１】
2018104167.tif 000003
【図２】
2018104167.tif 000004
【図３】
2018104167.tif 000005
【図４】
2018104167.tif 000006
【図５】
2018104167.tif 000007